(57)【要約】      （修正有）【課題】組み立てが簡単で製造コストが低減される床排水用水切板を提供する。【解決手段】貫通孔２２を有するとともに互いに平行に配置される複数の条材２と、表面に溝部３１が長手方向に沿って所定間隔置きに形成され、且つ溝部３１とは反対側表面３Ｂの両端部に係止部３２が突設された位置決め部材３と、板状の固定用金具４とから構成する。位置決め部材３は、貫通孔２２に条材２とは直交する方向で挿通されるとともに、各条材２の貫通孔２２の縁部２３が位置決め部材３の溝部３１に案内されて係合される。固定用金具４は、位置決め部材３の反対側表面３Ｂに配置されて貫通孔２２に挿通されるとともに、固定用金具４の両端部は係止部３２により固定される。【選択図】図３
0003189263.tif 000002
【実用新案登録請求の範囲】
【請求項１】
互いに平行に配置される複数の条材と、表面に溝部が長手方向に沿って所定間隔置きに形成され、且つ上記溝部とは反対側表面の両端部に係止部が突設された位置決め部材と、板状の固定用金具とから構成し、
上記位置決め部材は、上記貫通孔に上記条材とは直交する方向で挿通されるとともに、各条材の上記貫通孔の縁部が上記位置決め部材の上記溝部に案内されて係合され、上記固定用金具は、上記位置決め部材の反対側表面に配置されて上記貫通孔に挿通されるとともに、上記固定用金具の両端部は上記係止部により固定されていることを特徴とする床排水用水切板。
【請求項２】
位置決め部材の断面形状を、垂直部と、これに直交する水平部とから構成するとともに、上記水平部に溝部を形成したことを特徴とする請求項１に記載の床排水用水切板。
【請求項３】
水平部を垂直部の上下縁部に設けたことを特徴とする請求項２に記載の床排水用水切板。
【請求項４】
位置決め部材には、水平部とは反対側表面に水平に突設されて固定用金具の上面を覆い且つ案内する案内壁部が形成されていることを特徴とする請求項２又は３に記載の床排水用水切板。
【考案の詳細な説明】
【技術分野】
【０００１】
本考案は、浴室やプール等の床に配置される床排水用水切板に関する。
【背景技術】
【０００２】
従来の床排水用水切板の例として、水切部材本体が、幅方向に所要長さのスペーサ及びスペーサを介して並列した複数の条部材に、ボルトを貫通させてナットで固定することにより、隣接する条部材の水平部間に所要幅の隙間が設けられるようにして組み立られたものがある（例えば特許文献１参照。）。
【先行技術文献】
【特許文献】
【０００３】
【特許文献１】特開２０００−０８０６９４号公報
【考案の概要】
【考案が解決しようとする課題】
【０００４】
しかし、このような従来の床排水用水切板の場合、隣接する条部材をボルトとナットとを用いて固定する必要があるため、組み立てに手間を要するとともに、製造コストが増大する惧れがある。
【０００５】
そこで、本考案は組み立てが簡単になるとともに製造コストの低減化を図り得る床排水用水切板を提供することを目的とする。
【課題を解決するための手段】
【０００６】
本考案の床排水用水切板は、互いに平行に配置される複数の条材と、表面に溝部が長手方向に沿って所定間隔置きに形成され、且つ上記溝部とは反対側表面の両端部に係止部が突設された位置決め部材と、板状の固定用金具とから構成し、
上記位置決め部材は、上記貫通孔に上記条材とは直交する方向で挿通されるとともに、各条材の上記貫通孔の縁部が上記位置決め部材の上記溝部に案内されて係合され、上記固定用金具は、上記位置決め部材の反対側表面に配置されて上記貫通孔に挿通されるとともに、上記固定用金具の両端部は上記係止部により固定されていることを特徴とする。
【０００７】
また、位置決め部材の断面形状を、垂直部と、これに直交する水平部とから構成するとともに、上記水平部に溝部を形成することが好ましく、さらに、上記水平部を垂直部の上下縁部に設けることがよい。
【０００８】
そして、位置決め部材には、水平部とは反対側表面に水平に突設されて固定用金具の上面を覆い且つ案内する案内壁部が形成されていることがよい。
【考案の効果】
【０００９】
本考案の床排水用水切板によれば、位置決め部材と条材とを固定するのに、位置決め部材の反対側表面に配置された固定用金具の両端部を係止部により固定させるようにしたので、ボルト及びナットを用いる必要がなく、したがって組み立てが簡単になるとともに製造コストの低減化を図ることができる。
【図面の簡単な説明】
【００１０】
【図１】本考案の実施例に係る床排水用水切板の全体斜視図である。
【図２】同床排水用水切板を示す平面図である。
【図３】同床排水用水切板の分解斜視図である。
【図４】同床排水用水切板の要部側面図であり、（ａ）は位置決め部材が挿脱位置にある場合を示し、（ｂ）は位置決め部材が係合位置にある場合を示す。
【図５】同床排水用水切板の位置決め部材の外観を示す図であり、（ａ）は表面側から見た斜視図、（ｂ）は裏面側から見た斜視図、（ｃ）は正面図である。
【図６】同床排水用水切板の引き上げハンドル部分の拡大側面図である。
【図７】同床排水用水切板が床排水用溝部に配置された状態を示す図２のＡ−Ａ断面図である。
【考案を実施するための形態】
【００１１】
以下、本考案に係る実施例の床排水用水切板について、図１〜図７を用いて説明する。
本実施例に係る床排水用水切板は、浴室やプール等の床に設けられる排水溝に配置される格子状の蓋体（グレーチング）である。
【００１２】
図１〜図４に示すように、床排水用水切板１は、合成樹脂製で、互いに平行に配置される複数の条材（メインバー）２と、合成樹脂製で、各条材２に形成された貫通孔２２に条材２とは直交する方向で挿通されるとともに、所定間隔置きに形成された溝部３１（図２及び図３に示す）に各条材２の貫通孔２２の縁部２３（図２及び図３に示す）を案内して条材２の位置決めを行う位置決め部材（メインバー固定材）３と、位置決め部材３を、各条材２の貫通孔２２に挿脱し得る挿脱位置（図４（ａ）に（イ）で示す）からその溝部３１が貫通孔２２の縁部２３に係合する係合位置（図４（ｂ）に（ロ）で示す）に移動させた後、条材２及び位置決め部材３を係合位置にて固定するための板状のステンレス製の固定用金具（クロスバー）４とから構成される。
【００１３】
図１に示すように、条材２は、その断面が略Ｔ字形状を成し、垂直板部２ａとこの垂直板部２ａに直交する水平板部２ｂとから構成されている。水平板部２ｂの上面には条材２の長手方向に延びる滑り止め突起２１が形成されている。図３に示すように、条材２には、その側面に位置決め部材３及び固定用金具４が挿入され得る貫通孔２２が長手方向において所定間隔置きに（図３では２箇所に）設けられている。貫通孔２２は、位置決め部材３と固定用金具４とを挿入し得る縦長の矩形状にされた垂直孔部２２ａと、後述する位置決め部材３の水平部３４と案内壁部３５とを案内し得るように、垂直孔部２２ａの上部２２Ａに条材２の長手方向に延びて設けられる延設孔部２２ｂとから成る。また、条材２には硬質塩化ビニルが、滑り止め突起２１には軟質塩化ビニルがそれぞれ用いられる。
【００１４】
図５（ａ）に示すように、位置決め部材３としては、表面３Ａ側に、幅方向（長手方向に直交する方向）に溝部３１が設けられ、また、図５（ｂ）に示すように、裏面３Ｂ側、すなわち溝部３１とは反対側表面の両端部に、固定用金具４を係止するための係止部３２が突設されたものが用いられる。ここで、係止部３２の形状としては、例えば図５（ｂ）に示すような楔状や、その他に山形状及び矩形状などが挙げられる。
【００１５】
図５（ｃ）に示すように、位置決め部材３は、その断面形状が、垂直部３３と、この垂直部３３に直交してその上下縁部３３Ａ，３３Ｂ（仮想線にて示す）に連設された水平部３４とから構成されている。なお、水平部３４は、垂直部３３の上縁部３３Ａ，下縁部３３Ｂのいずれか一方に形成されていても構わない。さらに、位置決め部材３には、上方の水平部３４の裏面３Ｂ側に連続して水平に延びて固定用金具４の上面を案内する案内壁部３５が形成されている。もちろん、案内壁部３５は固定用金具４よりも外側に突出するように設けられている。つまり、位置決め部材３は、簡単に説明すると、断面がコの字（溝型）形状にされた、すなわち垂直部３３と上下の水平部３４とから成る溝型状の部材に、その裏面３Ｂ側に固定用金具４を案内するための案内壁部３５を突設したものである。
【００１６】
また、係止部３２は、具体的には、図５（ｂ）に示すように、位置決め部材３の両端から中央に行くにしたがって、外方に突出する楔状を成している。なお、位置決め部材３には硬質塩化ビニルが用いられる。
【００１７】
ところで、この係止部３２については、位置決め部材３の裏面３Ｂ側に突設したものとして説明したが、実際には、床排水用水切板１の組み立て手順の最後で形成されるものである。例えば、工具により位置決め部材３の垂直部３３の所定位置で表面３Ａ側から裏面３Ｂ側に押し出して突出部分を形成することにより、係止部３２を得るようにしたものである。したがって、図３については、組み立て前には係止部３２は形成されていないが組み立て後の状態を理解し易くするため、２つの位置決め部材３のうち一方にのみ係止部３２を破線で示した。また、図５については、位置決め部材３の形状を理解し易くするため、係止部３２は実線で示した。なお、床排水用水切板１の組み立て手順については後述する。
【００１８】
また、図５（ｂ）に示すように、垂直部３３の裏面３Ｂ側には、固定用金具４と垂直部３３との接触面積を低減して固定用金具４を案内し易くするため、位置決め部材３の長手方向に延びる突条部３６が上下に一対設けられている。
【００１９】
図４（ｂ）に示すように、条材２の貫通孔２２の垂直孔部２２ａの高さは位置決め部材３及び固定用金具４の高さよりもわずかに大きくされ、また垂直孔部２２ａの幅は位置決め部材３の水平部３４と固定用金具４と合計の厚さと等しく又はわずかに大きくされている。そして、条材２の貫通孔２２の延設孔部２２ｂの高さは最も狭い箇所にて位置決め部材３の案内壁部３５の厚さよりも大きくされ、また当然ながら、延設孔部２２ｂの幅は案内壁部３５が挿入可能な大きさにされている。
【００２０】
また、図２に示すように、溝部３１には、条材２の貫通孔２２の縁部２３が案内されて条材２の位置決めが行われるため、溝部３１の幅は貫通孔２２の縁部２３の厚さ（条材２の垂直板部２ａの厚さ）よりもわずかに大きくされている。
【００２１】
さらに、図３に示すように、床排水用水切板１は、床排水用溝部から床排水用水切板１を引き上げる際に用いられる引き上げハンドル５を有する。引き上げハンドル５は、図６に示すように、指を通すことができる矩形状の把手部５１と、把手部５１に連続して設けられた位置決め部材３を挿通可能なリング部５２と、リング部５２の遥動によって条材２の水平板部２ｂに当接されて遥動を阻止するストッパ部５３とを備える。ストッパ部５３が条材２の上面に当接することにより、引き上げハンドル５は遥動が阻止されるため、安定して床排水用水切板１を引き上げることができる。
【００２２】
以下、床排水用水切板１の組み立て手順について説明する。まず、所定間隔置きに複数の条材２を並べておくとともに、引き上げハンドル５も所定の条材２間に配置しておく。そして、位置決め部材３を複数の条材２の貫通孔２２と引き上げハンドル５のリング部５２とに挿入し、位置決め部材３の溝部３１の位置と条材２の貫通孔２２の縁部２３の位置とを一致させる。このとき、図４（ａ）に示すように、位置決め部材３は条材２から挿脱が自在な挿脱位置（イ）に配置されている。次に、位置決め部材３を係合位置（ロ）に移動させてその溝部３１に条材２の貫通孔２２の縁部２３を係合させる。そして、図４（ｂ）に示すように条材２と位置決め部材３とを係合位置（ロ）にて固定するため、固定用金具４を、位置決め部材３の裏面３Ｂに配置してその先端側から貫通孔２２へ押し入れ、位置決め部材３の案内壁部３５に沿って入れ進める。その後、図５（ａ）及び図５（ｃ）に示すように、位置決め部材３の垂直部３３の所定位置（固定用金具４の両端部の位置）で表面３Ａ側から工具により切れ目を入れるとともに部分的に表面３Ａ側から裏面３Ｂ側に押し出して係止部３２を形成する。したがって、図４（ｂ）に示すように、固定用金具４が両係止部３２間に位置されて固定される。このように、位置決め部材３において、固定用金具４の両端部の位置に係止部３２を形成することにより、固定用金具４は、両係止部３２間に位置されて固定されるため、条材２と位置決め部材３とが係合位置（ロ）にて確実に固定される。
【００２３】
上述のように、位置決め部材３と条材２とが固定用金具４により固定されて、床排水用水切板１が組み立てられる。なお、床排水用水切板１は、図７に示すように、浴室やプール等の床の排水溝Ｄにアンカー部材７を介して予め設けられた断面形状Ｌ字状の配置用金具６に支持されて収容される。
【００２４】
本考案の床排水用水切板１によれば、条材２と位置決め部材３とを係合位置（ロ）にて固定するのに、位置決め部材３の裏面３Ｂに配置して固定用金具４を貫通孔２２に挿入した後で、位置決め部材３の固定用金具４の両端部の位置に表面３Ａ側から裏面３Ｂ側に押し出して係止部３２を形成して固定させるようにしたので、ボルト及びナットを用いる必要がなく、したがって組み立てが簡単になるとともに製造コストの低減化を図ることができる。また、図２に示すように、平面視において、固定用金具４は位置決め部材３の案内壁部３５に隠れて見えないため、美観を損なうことがない。
【００２５】
なお、上記実施例においては、係止部３２を貫通孔２２に固定用金具４を挿入した後に形成するように説明したが、例えば、予め位置決め部材３の両端部に係止部３２を形成しておき、条材２と位置決め部材３とを係合させた後、固定用金具４をその先端側から一方の係止部３２の傾斜面３２ａを乗り越えて貫通孔２２へ押し入れながら案内壁部３５に沿って入れ進め、固定用金具４の先端面を他方の係止部３２の先端面に当接させるようにしてもよい。
【００２６】
また、上記実施例においては、図５（ｃ）に示すように、位置決め部材３の上下縁部３３Ａ，３３Ｂにおいて表面３Ａ側に突出するように水平部３４が形成されているが、例えば表面３Ａ側及び裏面３Ｂ側に突出するように水平部３４が形成される、言い換えれば水平部３４の中央部にて直交するように垂直部３３が形成されるようにしてもよい。その場合、裏面３Ｂ側に突出した水平部３４の一部は案内壁部３５となる。
【符号の説明】
【００２７】
１        床排水用水切板
２        条材
２ａ      垂直板部
２ｂ      水平板部
２１    滑り止め突起
２２    貫通孔
２２ａ  垂直孔部
２２ｂ  延設孔部
２３    貫通孔の縁部
３        位置決め部材
３Ａ    表面
３Ｂ    裏面
３１    溝部
３２    係止部
３２ａ  係止部の傾斜面
３３    垂直部
３３Ａ  上縁部
３３Ｂ  下縁部
３４    水平部
３５    案内壁部
３６    突条部
４        固定用金具
５        引き上げハンドル
６        配置用金具
７        アンカー部材
イ        挿脱位置
ロ        係合位置
【図１】
0003189263.tif 000003
【図２】
0003189263.tif 000004
【図３】
0003189263.tif 000005
【図４】
0003189263.tif 000006
【図５】
0003189263.tif 000007
【図６】
0003189263.tif 000008
【図７】
0003189263.tif 000009
【手続補正書】
【提出日】平成25年12月25日(2013.12.25)
【手続補正１】
【補正対象書類名】実用新案登録請求の範囲
【補正対象項目名】全文
【補正方法】変更
【補正の内容】
【実用新案登録請求の範囲】
【請求項１】
貫通孔を有するとともに互いに平行に配置される複数の条材と、表面に溝部が長手方向に沿って所定間隔置きに形成され、且つ上記溝部とは反対側表面の両端部に係止部が突設された位置決め部材と、板状の固定用金具とから構成し、
上記位置決め部材は、上記貫通孔に上記条材とは直交する方向で挿通されるとともに、各条材の上記貫通孔の縁部が上記位置決め部材の上記溝部に案内されて係合され、上記固定用金具は、上記位置決め部材の反対側表面に配置されて上記貫通孔に挿通されるとともに、上記固定用金具の両端部は上記係止部により固定されていることを特徴とする床排水用水切板。
【請求項２】
位置決め部材の断面形状を、垂直部と、これに直交する水平部とから構成するとともに、上記水平部に溝部を形成したことを特徴とする請求項１に記載の床排水用水切板。
【請求項３】
水平部を垂直部の上下縁部に設けたことを特徴とする請求項２に記載の床排水用水切板。
【請求項４】
位置決め部材には、水平部とは反対側表面に水平に突設されて固定用金具の上面を覆い且つ案内する案内壁部が形成されていることを特徴とする請求項２又は３に記載の床排水用水切板。